(57)【要約】【課題】本発明は、従来にない作用効果を発揮する画期的な雪製造装置を提供することを目的とする。【解決手段】空気中の水蒸気を吸入冷却して雪を製造する雪製造装置であって、上部に空気中の水蒸気を吸入する吸入口１ａが設けられた筒状本体１を有し、この筒状本体１には該筒状本体１内の空間Ｓを冷却する冷却部２が設けられ、空間Ｓには複数の送風部３が上下位置に間隔を介して設けられ、この送風部３夫々は送風方向が上向きとなるように設定されたものである。【選択図】図２
2012052709.tif 000002
【特許請求の範囲】
【請求項１】
空気中の水蒸気を吸入冷却して雪を製造する雪製造装置であって、上部に前記空気中の水蒸気を吸入する吸入口が設けられた筒状本体を有し、この筒状本体には該筒状本体内の空間を冷却する冷却部が設けられ、前記空間には複数の送風部が上下位置に間隔を介して設けられ、この送風部夫々は送風方向が上向きとなるように設定されていることを特徴とする雪製造装置。
【請求項２】
請求項１記載の雪製造装置において、上下位置に設けられる前記送風部夫々のうち、上方の送風部から生じる風圧よりも下方の送風部から生じる風圧が強くなるように設定されていることを特徴とする雪製造装置。
【請求項３】
請求項１，２いずれか１項に記載の雪製造装置において、前記筒状本体は複数の筒状部材を積層して構成され、前記筒状部材の全て若しくは一部に、前記冷却部，前記送風部の双方若しくは一方が設けられていることを特徴とする雪製造装置。
【請求項４】
請求項１〜３いずれか１項に記載の雪製造装置において、前記冷却部は前記筒状本体の内壁面を冷却して前記空間を冷却するように構成されていることを特徴とする雪製造装置。
【請求項５】
請求項１〜４いずれか１項に記載の雪製造装置において、前記筒状本体の内壁面は通気性及び防水性を有するシート体で覆われていることを特徴とする雪製造装置。
【請求項６】
請求項５記載の雪製造装置において、前記筒状本体の内壁面と前記シート体との間に間隙が介存せしめられていることを特徴とする雪製造装置。
【請求項７】
請求項５，６いずれか１項に記載の雪製造装置において、前記シート体は合成樹脂製であることを特徴とする雪製造装置。
【請求項８】
請求項１〜７いずれか１項に記載の雪製造装置において、前記空気中の水蒸気は、自然界で生じる雲や霧であることを特徴とする雪製造装置。
【発明の詳細な説明】
【技術分野】
【０００１】
本発明は、雪製造装置に関するものである。
【背景技術】
【０００２】
従来から、例えば実開昭５８−６５５４８号に開示されるような雪製造装置（以下、従来例）が種々提案されている。
【０００３】
この従来例は、冷却塔と、該冷却塔内に水の微粒子を噴霧する噴霧手段と、冷却塔内に冷却媒体を噴射して該冷却塔内の雰囲気の温度を低下させることによって水の微粒子から雪を生成せしめる冷却媒体噴射手段とを具備した構造である。
【先行技術文献】
【特許文献】
【０００４】
【特許文献１】実開昭５８−６５５４８号公報
【発明の概要】
【発明が解決しようとする課題】
【０００５】
ところが、実際に従来例で製造されるものは氷の粒であり、自然雪とは全く性状が異なるものとなる。
【０００６】
また、従来例は、冷却塔内の内壁面に付着した水分が霜や氷の塊となってしまい、この霜や氷を除去しなければならないなどの問題点がある。
【０００７】
本発明者は、前述した問題点に着目し、種々の実験研究を繰り返し行った結果、従来にない作用効果を発揮する画期的な雪製造装置を開発した。
【課題を解決するための手段】
【０００８】
添付図面を参照して本発明の要旨を説明する。
【０００９】
空気中の水蒸気を吸入冷却して雪を製造する雪製造装置であって、上部に前記空気中の水蒸気を吸入する吸入口１ａが設けられた筒状本体１を有し、この筒状本体１には該筒状本体１内の空間Ｓを冷却する冷却部２が設けられ、前記空間Ｓには複数の送風部３が上下位置に間隔を介して設けられ、この送風部３夫々は送風方向が上向きとなるように設定されていることを特徴とする雪製造装置に係るものである。
【００１０】
また、請求項１記載の雪製造装置において、上下位置に設けられる前記送風部３夫々のうち、上方の送風部３から生じる風圧よりも下方の送風部３から生じる風圧が強くなるように設定されていることを特徴とする雪製造装置に係るものである。
【００１１】
また、請求項１，２いずれか１項に記載の雪製造装置において、前記筒状本体１は複数の筒状部材１Ａを積層して構成され、前記筒状部材１Ａの全て若しくは一部に、前記冷却部２，前記送風部３の双方若しくは一方が設けられていることを特徴とする雪製造装置に係るものである。
【００１２】
また、請求項１〜３いずれか１項に記載の雪製造装置において、前記冷却部２は前記筒状本体１の内壁面１ｂを冷却して前記空間Ｓを冷却するように構成されていることを特徴とする雪製造装置に係るものである。
【００１３】
また、請求項１〜４いずれか１項に記載の雪製造装置において、前記筒状本体１の内壁面１ｂは通気性及び防水性を有するシート体４で覆われていることを特徴とする雪製造装置に係るものである。
【００１４】
また、請求項５記載の雪製造装置において、前記筒状本体１の内壁面１ｂと前記シート体４との間に間隙Ｋが介存せしめられていることを特徴とする雪製造装置に係るものである。
【００１５】
また、請求項５，６いずれか１項に記載の雪製造装置において、前記シート体４は合成樹脂製であることを特徴とする雪製造装置に係るものである。
【００１６】
また、請求項１〜７いずれか１項に記載の雪製造装置において、前記空気中の水蒸気は、自然界で生じる雲や霧であることを特徴とする雪製造装置に係るものである。
【発明の効果】
【００１７】
本発明は上述のように構成したから、前述した従来例に比し、自然界の雪に近い良質な雪を簡易且つ確実に製造することができるなど、従来にない作用効果を発揮する画期的な雪製造装置となる。
【００１８】
また、請求項２記載の発明においては、筒状本体内で冷却されて生じた雪を該筒状本体の下部まで一気に降下させてしまうのではなく、降下までに時間をかけながら徐々に降下させることが可能となり、従って、それだけ大きい自然界の雪に近い良質な雪を製造することができ、しかも、筒状本体を大型化せず可及的にコンパクト化が達成されることになるなど、従来にない作用効果を発揮する画期的な雪製造装置となる。
【００１９】
また、請求項３記載の発明においては、筒状本体の組み立てが極めて簡易且つ確実に行えることになり、しかも、積層する数を適宜変更して場所に対応した設置が可能となるなど、従来にない作用効果を発揮する画期的な雪製造装置となる。
【００２０】
また、例えば筒状本体内の空間に冷風を送るなどして当該空間を冷却する場合には、余計な気流が生じ、好ましくない。この点、請求項４記載の発明は、筒状本体の空間が減圧されることで外気との差圧が生じ、これにより生じる下方への空気の流れにより、吸入口からの水蒸気の吸入を穏やかに且つ良好に行えることになるなど、従来にない作用効果を発揮する画期的な雪製造装置となる。
【００２１】
また、請求項５〜７記載の発明においては、前述した従来例と異なり、筒状本体の内壁面に霜や氷が形成されてしまうのを可及的に防止することができ、雪の製造に障害となるものが形成されることがない為、より一層自然界の雪に近い良質な雪を製造することができることになるなど、従来にない作用効果を発揮する画期的な雪製造装置となる。
【００２２】
また、請求項８記載の発明においては、自然界で生じる雲や霧などの空気中の水蒸気を利用するという、非常に効率の良い構造の為、コスト安に良質な雪を製造することができ、しかも、自然界で生じる雲や霧などの空気中の水蒸気を積極的に雪に変換することで環境のコントロールも可能になるなど、従来にない作用効果を発揮する画期的な雪製造装置となる。
【図面の簡単な説明】
【００２３】
【図１】本実施例を使用した雪の製造方法の説明図である。
【図２】本実施例に係る要部の説明断面図である。
【図３】本実施例に係る要部の概略動作説明図である。
【図４】本実施例に係る要部の概略動作説明図である。
【図５】本実施例に係る要部の概略動作説明図である。
【図６】本実施例に係る要部の概略動作説明図である。
【発明を実施するための形態】
【００２４】
好適と考える本発明の実施形態を、図面に基づいて本発明の作用を示して簡単に説明する。
【００２５】
本発明に係る筒状本体１を、例えば図１に図示したように山やビルなどの高所、即ち、自然界で生じる雲や霧などの空気中の水蒸気が多く存在する雰囲気中に設置し、この状態で冷却部２により筒状本体１内の空間Ｓを冷却すると、空間Ｓは下方への空気（冷気）の流れが生じると共に、筒状本体１の外部周辺に存在する水蒸気が吸入口１ａから空間Ｓへ吸入される。
【００２６】
この空間Ｓに吸入された水蒸気は冷却されて小さな雪となり、その自重で下方へ移動するが、この雪は送風部３から上方へ向けての送風により上方へ吹き飛ばされては降下し、この上下の移動（対流）を繰り返して徐々に大きくなる。
【００２７】
送風部３により、対流して大きくなりこの送風部３の送風を受けても上方へ吹き飛ばされずに降下した雪は、更に、下方位置の送風部３からの上方へ向けての送風により上方へ吹き飛ばされては降下し、これを繰り返してますます大きくなる。
【００２８】
尚、送風部３の送風を受けても上方へ吹き飛ばされずに降下する雪とは、質量が大きくなった為に吹き飛ばされずに降下する場合もあれば、空間Ｓに均等な強さで送風が行われない為に弱い送風部分を通過して降下する場合もある。また、送風部３は後述する本実施例のように上下位置に設けられる送風部３夫々のうち、上方の送風部３から生じる風圧よりも下方の送風部３から生じる風圧が強くなるように設定する、つまり、雪の大きさに応じた風力の送風部３を設けるようにしても良いが、上下位置に設けられる送風部３夫々の風力の強さを共通としてもこのような現象が生じることを確認している。
【００２９】
以上のように、筒状本体１内の空間Ｓでは送風部３の数だけ上下の対流を繰り返して雪は徐々に大きくなり、最終的には送風部３による送風でも上方へ吹き飛ばされず、筒状本体１の下部へ降下し、自然雪に近い良質な雪が製造される。
【実施例】
【００３０】
本発明の具体的な一実施例について図面に基づいて説明する。
【００３１】
本実施例は、空気中の水蒸気を吸入冷却して雪を製造する雪製造装置であって、上部に前記空気中の水蒸気を吸入する吸入口１ａが設けられた筒状本体１を有し、この筒状本体１には該筒状本体１内の空間Ｓを冷却する冷却部２が設けられ、空間Ｓには複数の送風部３が上下位置に間隔を介して設けられ、この送風部３夫々は送風方向が上向きとなるように設定されたものである。
【００３２】
筒状本体１は、図１，２に図示したように複数（９個）の筒状部材１Ａを上下に積層して構成されている。尚、筒状本体１を一つの筒状部材で構成しても良い。
【００３３】
この筒状部材１Ａは、適宜な金属製の部材を平断面視方形状に形成した角筒状体であり、最下部に配される筒状部材１Ａは有底筒状体である。
【００３４】
この最下部の筒状部材１Ａには雪を搬出するための扉１ｃが設けられている。
【００３５】
尚、この筒状部材１Ａの高さ、幅、奥行きはいずれも約９０ｃｍである。
【００３６】
また、筒状部材１Ａには、後述するシート体４を取り付けるための取付体５が設けられている。
【００３７】
この取付体５は、図２に図示したように適宜な金属製の部材で形成した平面視方形状の枠状体であり、筒状部材１Ａ内に配された際、４つの辺部材５ａ夫々が筒状部材１Ａの４つの内壁面１ｂ夫々に添うように配され、筒状部材１Ａの筒孔内の上下端縁部に嵌合状態に設けられている。
【００３８】
尚、最下部の筒状部材１Ａには上端縁部にのみ取付体５が設けられている。
【００３９】
従って、この取付体５を介してシート体４は筒状本体１の内壁面１ｂを覆うように筒孔内に配され、このシート体４は、取付体５の各辺材５ａの内壁面１ｂからの突出分だけ該内壁面１ｂと所定の間隙Ｋを介して配されることになる。
【００４０】
また、筒状部材１Ａ夫々の外壁面１ｃには冷却部２が設けられている。尚、冷却部２が設けられない筒状部材１Ａがあっても良い。
【００４１】
この冷却部２は、循環させる液体の気化熱により冷却を行う公知構造のものであり、筒状部材１Ａの周壁（内壁面１ｂ）を冷却するように構成されている。
【００４２】
また、筒状部材１Ａには送風部３が設けられている。尚、最下部の筒状部材１Ａには送風部３は設けられていない。その他にも送風部３が設けられない筒状部材１Ａがあっても良い。
【００４３】
この送風部３は、回転軸に羽根体３Ａを放射方向に設けたファン構造であり、筒状部材１Ａの下端部に設けられ、上方へ向けて送風が行われるように設定されている。
【００４４】
従って、筒状本体１内には上下位置に間隔を介して送風部３が設けられることになる。
【００４５】
また、各筒状部材１Ａにはシート体４が設けられている。
【００４６】
このシート体４は、図２に図示したように適宜な合成樹脂製の部材で形成したものであり、通気性及び防水性を具備する。
【００４７】
具体的には、シート体４はフッ素樹脂製であり、空気は通すが水は通さない構造である。尚、シート体４としてはビニル製でもナイロン製でも良く、本実施例の特性を発揮する構成（通気性及び防水）を具備したものであれば適宜採用し得るものである。
【００４８】
このシート体４は、前述した筒状部材１Ａの上下位置に設けられる取付体５間に架設されて筒状本体１（筒状部材１Ａ）の内壁面１ｂを覆うように配されている。
【００４９】
また、このシート体４を設けた際に生じる内壁面１ｂとの間隙Ｋは、冷却部２により冷却された内壁面１ｂの近くの空気が冷気となって下方へ流れることになり、筒状本体１を構成する上側の筒状部材１Ａと下側の筒状部材１Ａとの境目となる送風部３が設けられる付近での気圧の変化を受けて、この冷気はシート体４を通過して内方へ流入する（図３〜６中の二点鎖線参照）。
【００５０】
以上の構成から成る本実施例に係る雪製造装置を用いた雪製造方法について説明する。
【００５１】
先ず、筒状本体１を、例えば図１に図示したように山やビルなどの高所、即ち、自然界で生じる雲や霧などの空気中の水蒸気が多く存在する雰囲気中に設置し、この状態で冷却部２により筒状本体１内の空間Ｓを冷却すると、空間Ｓは減圧されて外気との差圧が生じ、これにより空間Ｓは下方への空気（冷気）の流れが生じると共に、筒状本体１の外部周辺に存在する水蒸気が引き込まれて吸入口１ａから空間Ｓへ吸入される。本実施例では雲が多く発生する山間部に筒状本体１を設けているが、霧などが発生する高原でも良い。
【００５２】
この空間Ｓに吸入された水蒸気は冷却されて小さな雪となり、その自重で下方へ移動するが、この雪は送風部３から上方へ向けての送風により上方へ吹き飛ばされては降下し、この上下の移動（対流）を繰り返して徐々に大きくなる（図３参照）。
【００５３】
送風部３により、対流して大きくなりこの送風部３の送風を受けても上方へ吹き飛ばされずに降下した雪は、更に下方位置の送風部３からの上方へ向けての送風により上方へ吹き飛ばされては降下し、これを繰り返してますます大きくなる（図４，５参照）。
【００５４】
尚、送風部３の送風を受けても上方へ吹き飛ばされずに降下する雪とは、質量が大きくなった為に吹き飛ばされずに降下する場合もあれば、空間Ｓに均等な強さで送風が行われない為に弱い送風部分を通過して降下する場合もある。また、送風部３は本実施例のように上下位置に設けられる送風部３夫々のうち、上方の送風部３から生じる風圧よりも下方の送風部３から生じる風圧が強くなるように設定する、つまり、雪の大きさに応じた風力の送風部３を設けているが、上下位置に設けられる送風部３夫々の風力の強さを共通としてもこのような現象が生じることを確認している。
【００５５】
以上のように、筒状本体１の空間Ｓでは送風部３の数だけ上下の対流を繰り返して雪は徐々に大きくなり、最終的には送風部３による送風でも上方へ吹き飛ばされずに筒状本体１の下部へ降下し、自然雪に近い良質な雪が製造される（図６参照）。
【００５６】
また、本実施例のその他の使用例として、筒状本体１内の温度を適宜調整（例えば一部の冷却部２を作動させず温度を上昇）することで、水蒸気（雲）を凍るまで冷却せずに雨とすることができ、局地的豪雨の発生を未然に防いだり、降水量の少ない時期での水の確保も期待できる。
【００５７】
本実施例は上述のように構成したから、前述した従来例に比し、自然界の雪に近い良質な雪を簡易且つ確実に製造することができる。
【００５８】
また、本実施例は、上下位置に設けられる送風部３夫々のうち、上方の送風部３から生じる風圧よりも下方の送風部３から生じる風圧が強くなるように設定されているから、筒状本体１内で冷却されて生じた雪を該筒状本体１の下部まで一気に降下させてしまうのではなく、降下までに時間をかけながら徐々に降下させることが可能となり、従って、それだけ大きい自然界の雪に近い良質な雪を製造することができ、しかも、筒状本体１を大型化せず可及的にコンパクト化が達成されることになる。
【００５９】
また、本実施例は、筒状本体１は複数の筒状部材１Ａを積層して構成され、筒状部材１Ａの全て若しくは一部には、冷却部２，送風部３の双方若しくは一方が設けられているから、具体的には、本実施例では、最下部の筒状部材１Ａは冷却部２のみを具備し、それ以外の筒状部材１Ａはいずれも冷却部２及び送風部３を具備した構造であり、筒状本体１の組み立てが極めて簡易且つ確実に行えることになり、しかも、積層する数を適宜変更して場所に対応した設置が可能となる。また、冷却部２と送風部３を具備した筒状部材１Ａを積層する構造である為、仮に一部の冷却部２や送風部３が破損した場合には、その部位の筒状部材１Ａをユニットとして取り換えて対応（メンテナンス）することができる。
【００６０】
また、本実施例は、冷却部２は筒状本体１の内壁面１ｂを冷却して空間Ｓを冷却するように構成されているから、例えば筒状本体１内の空間Ｓに余計な気流を生じさせる冷風を送るなどして当該空間Ｓを冷却する場合に比し、筒状本体１の空間Ｓが減圧されることで外気との差圧が生じ、これにより下方への空気の流れにより、吸入口１ａからの水蒸気の吸入を穏やかに且つ良好に行えることになる。
【００６１】
また、本実施例は、筒状本体１の内壁面１ｂは通気性及び防水性を有するシート体４で覆われているから、前述した従来例と異なり、筒状本体１の内壁面１ｂに霜や氷が形成されてしまうのを可及的に防止することができ、雪の製造に障害となるものが形成されることがない為、より一層自然界の雪に近い良質な雪を製造することができることになる。
【００６２】
また、本実施例は、自然界で生じる雲や霧などの空気中の水蒸気を利用するという、非常に効率の良い構造の為、コスト安に良質な雪を製造することができ、しかも、自然界で生じる雲や霧などの空気中の水蒸気を積極的に雪に変換することで環境のコントロールも可能になる。
【００６３】
即ち、空気中の水蒸気（雲）を固体としての雪とすることにより、局地的に豪雨が降ることを避けることができ、河川に多量の水が急激に流れることを防止することができる。また、夏場でも雪を製造する事で冷房として使用する事もでき、環境に配慮された使用方法も期待できる。
【００６４】
尚、本発明は、本実施例に限られるものではなく、各構成要件の具体的構成は適宜設計し得るものである。
【符号の説明】
【００６５】
Ｓ  空間
Ｋ  間隙
１  筒状本体
１ａ  吸入口
１ｂ  内壁面
１Ａ  筒状部材
２  冷却部
３  送風部
４  シート体
【図１】
2012052709.tif 000003
【図２】
2012052709.tif 000004
【図３】
2012052709.tif 000005
【図４】
2012052709.tif 000006
【図５】
2012052709.tif 000007
【図６】
2012052709.tif 000008